(57)【特許請求の範囲】
【請求項１】
戸体の上框にブラケットを介して設けたハンガーローラが、戸上枠に内装したハンガーレールを転動することで左右開閉移動するよう構成される引き戸用の戸体において、該戸体に設けた電気部品を商用電源側に接続するにあたり、前記上框に、戸上枠の開口する前面から前方に突出するように可動側取付け具を設け、戸上枠に、上記可動側取付け具よりも下方に位置する状態で戸上枠の前面から突出するように固定側取付け具を設けると共に、⊃形に湾曲する中間部がチェーン上端部の下端部に対する左右相対移動に連動して左右に変位する中空状の湾曲チェーンの下端部を固定側取付け具に取付け、上端部を可動側取付け部に取付けて、湾曲チェーンの中空部に商用電源側に接続されるリード線を貫通させて設けることで商用電源を戸体側の電気部品に接続するように構成したことを特徴とする引き戸用の戸体。
【請求項２】
固定側取付け具は、少なくとも戸上枠の左右両端部に取付けられる取付け具と、該取付け具間に支架されていて前記湾曲チェーンの下半側を受けるチェーン受けとを備えて構成されていることを特徴とする請求項１記載の引き戸用の戸体。
【請求項３】
戸体は、戸上枠内に設けられる電動モータおよび該電動モータの駆動により移動する伝動ベルトによる電動式のものであり、可動側取付け具は、伝動ベルトと湾曲チェーンとのあいだを通ったものが戸上枠前面から前方に突出するように配されていることを特徴とする請求項１または２記載の引き戸用の戸体。
【請求項４】
湾曲チェーンの上端部から引出されたリード線は、伝動ベルトに結束されていることを特徴とする請求項３記載の引き戸用の戸体。
【請求項５】
戸体の上框にブラケットを介して設けたハンガーローラが、戸上枠に内装したハンガーレールを転動することで左右開閉移動するよう構成される引き戸用の戸体において、該戸体に設けた電気部品を商用電源側に接続する方法であって、前記上框に、戸上枠の開口する前面から前方に突出するように可動側取付け具を設ける工程、戸上枠に、上記可動側取付け具よりも下方に位置する状態で戸上枠の前面から突出するように固定側取付け具を設ける工程、⊃形に湾曲する中間部がチェーン上端部の下端部に対する左右相対移動に連動して左右に変位する中空状の湾曲チェーンの下端部を固定側取付け具に取付け、上端部を可動側取付け部に取付ける工程、湾曲チェーンの中空部に商用電源側に接続されるリード線を貫通させて設けることで商用電源を戸体側の電気部品に接続する工程を備えていることを特徴とする引き戸用の戸体への商用電源接続方法。
【発明の詳細な説明】
【技術分野】
【０００１】
本発明は、出入口に建て付けられる引き戸用の戸体および引き戸用の戸体への商用電源接続方法の技術分野に関するものである。
【背景技術】
【０００２】
一般に、出入口に設けられる戸体（扉体）のなかには、戸上枠に設けたハンガーレールに、戸体の上框にブラケットを介して設けたハンガーローラを転動させることで出入り口の開閉をする引き戸用のものがある。このような引き戸用の戸体の中には、戸体に電子錠を設けたり、戸体の框材に設けた発光ダイオード等の灯体からの光を用いて光学的な表示をするようにしたものが知られているが、このように戸体側に電気部品を設けたものである場合、建物側から商用電源をリード線を用いて戸体に引き込む必要がある。
そこでリード線をＵ字形やＳ字形に湾曲した状態で配し、これにより左右への移動を繰り返す戸体に対し、リード線が対応する変形をするようにしたものが知られている（例えば特許文献１、２参照。）。
【先行技術文献】
【特許文献】
【０００３】
【特許文献１】特許第４３０２２０９号公報
【特許文献２】特許第３６６１１４０号公報
【発明の概要】
【発明が解決しようとする課題】
【０００４】
ところが前記従来のものは、戸体の左右移動をするための駆動部の配設スペースと、リード線を配線するための配線スペースが同時に設けられた専用の戸枠（上枠）として構成されていたから、例えば既存の電気部品のない戸体から電気部品を設けた戸体に変更したい場合、駆動部が設けられた戸枠ごと交換しなければならず、例えば駆動部がそのまま使用できるにもかかわらず廃棄しなければならないため無駄になってしまう等の問題があり、ここに本発明の解決すべき課題がある。
【課題を解決するための手段】
【０００５】
本発明は、上記の如き実情に鑑みこれらの課題を解決することを目的として創作されたものであって、請求項１の発明は、戸体の上框にブラケットを介して設けたハンガーローラが、戸上枠に内装したハンガーレールを転動することで左右開閉移動するよう構成される引き戸用の戸体において、該戸体に設けた電気部品を商用電源側に接続するにあたり、前記上框に、戸上枠の開口する前面から前方に突出するように可動側取付け具を設け、戸上枠に、上記可動側取付け具よりも下方に位置する状態で戸上枠の前面から突出するように固定側取付け具を設けると共に、⊃形に湾曲する中間部がチェーン上端部の下端部に対する左右相対移動に連動して左右に変位する中空状の湾曲チェーンの下端部を固定側取付け具に取付け、上端部を可動側取付け部に取付けて、湾曲チェーンの中空部に商用電源側に接続されるリード線を貫通させて設けることで商用電源を戸体側の電気部品に接続するように構成したことを特徴とする引き戸用の戸体である。
請求項２の発明は、固定側取付け具は、少なくとも戸上枠の左右両端部に取付けられる取付け具と、該取付け具間に支架されていて前記湾曲チェーンの下半側を受けるチェーン受けとを備えて構成されていることを特徴とする請求項１記載の引き戸用の戸体である。
請求項３の発明は、戸体は、戸上枠内に設けられる電動モータおよび該電動モータの駆動により移動する伝動ベルトによる電動式のものであり、可動側取付け具は、伝動ベルトと湾曲チェーンとのあいだを通ったものが戸上枠前面から前方に突出するように配されていることを特徴とする請求項１または２記載の引き戸用の戸体である。
請求項４の発明は、湾曲チェーンの上端部から引出されたリード線は、伝動ベルトに結束されていることを特徴とする請求項３記載の引き戸用の戸体である。
請求項５の発明は、戸体の上框にブラケットを介して設けたハンガーローラが、戸上枠に内装したハンガーレールを転動することで左右開閉移動するよう構成される引き戸用の戸体において、該戸体に設けた電気部品を商用電源側に接続する方法であって、前記上框に、戸上枠の開口する前面から前方に突出するように可動側取付け具を設ける工程、戸上枠に、上記可動側取付け具よりも下方に位置する状態で戸上枠の前面から突出するように固定側取付け具を設ける工程、⊃形に湾曲する中間部がチェーン上端部の下端部に対する左右相対移動に連動して左右に変位する中空状の湾曲チェーンの下端部を固定側取付け具に取付け、上端部を可動側取付け部に取付ける工程、湾曲チェーンの中空部に商用電源側に接続されるリード線を貫通させて設けることで商用電源を戸体側の電気部品に接続する工程を備えていることを特徴とする引き戸用の戸体への商用電源接続方法である。
【発明の効果】
【０００６】
請求項１または５の発明とすることにより、戸体が左右移動する引き戸でありながら、戸体に設けた灯体等の電気部品への商用電源の接続が、ハンガーローラ、ハンガーレールが内装される既存の戸上枠を用いたものとして後付け的にできることになり、この結果、戸上枠全体を交換したりする必要がなくなって無駄のないものにすることができる。
請求項２の発明とすることにより、⊃形に湾曲する湾曲チェーン下半部の支持がチェーン受けによって確実にできることになって湾曲チェーンの安定した変位が行われ、戸体の開閉移動が損なわれることがない。
請求項３の発明とすることにより、戸体が電動式で開閉移動するものでありながら、可動側取付け具が伝動ベルトと湾曲チェーンのあいだを通る状態で配されることになって無駄のない配設構造とすることができる。
請求項４の発明とすることにより、湾曲チェーン上端部から引出されたリード線が伝動ベルトに結束される結果、可動側のリード線が可動側取付け具だけでなく伝動ベルトとも一体となって移動することになって、不用意な動きをすることがなく、リード線の保護が図れることになる。
【図面の簡単な説明】
【０００７】
【図１】（Ａ）（Ｂ）は引き戸方式の戸体の正面図、平面図である。
【図２】灯体が設けられる縦框部位の横断面図である。
【図３】既存の戸体の上枠部位の縦断面図である。
【図４】既存の戸体の上枠部位の屋内側枠材を取外した状態を示す部分正面図である。
【図５】給電装置を組込んだ状態を示す戸体の上枠部位の縦断面図である。
【図６】給電装置を組込んだ状態を示す戸体の上枠部位の部分正面図である。
【図７】（Ａ）（Ｂ）は上框に第一取付け具を取付けた状態を示す上枠部位の縦断面図、正面図である。
【図８】（Ａ）（Ｂ）は上枠に第三、第四取付け金具を取付けた状態を示す上枠部位の縦断面図、正面図である。
【図９】（Ａ）（Ｂ）は第四取付け具にチェーン受けを取付けた状態を示す上枠部位の縦断面図、正面図である。
【図１０】（Ａ）（Ｂ）はチェーン受けに湾曲チェーンを取付けた状態を示す上枠部位の縦断面図、正面図である。
【図１１】（Ａ）（Ｂ）は第一取付け具に取付けられた第二取付け具に湾曲チェーンを取付けた状態を示す上枠部位の縦断面図、正面図である。
【図１２】（Ａ）（Ｂ）は湾曲チェーンにリード線を引回した状態を示す上枠部位の縦断面図、正面図である。
【発明を実施するための形態】
【０００８】
以下、本発明の実施の形態について、図面に基づいて説明する。図中、１は引き戸方式の戸体（扉体）であって、該戸体１は、上下両框２、３、左右縦框４、これら框２〜４に組込まれ、導光材からなるパネル体５とを用いて構成されるが、左右の縦框４には、発光ダイオードからなる灯体６が組込まれる一方、パネル体５には凹溝状の反射部５ａが形成されている。そして後述する躯体側から商用電源を受けて灯体６が発光した場合に、パネル体５の端面から入光した光が反射部５ａで反射する反射光となり、この反射光が屋内外から視認できるようになっており、このような光学的な光表示装置（本発明の「電気部品」に相当する。）が設けられている。尚、図中、７は灯体６の取付け金具、８、９は押し縁、１０は戸体の上枠（本発明の「戸上枠」に相当する。）、１１は左右の縦枠である。
【０００９】
図３、４は、既存の上枠１０を示すものであって、該上枠１０は、屋外側枠材１０ａ、天井側枠材１０ｂ、そして屋内側枠材１０ｃとにより下方が開口した冂字形をしている。上枠１０内の左右方向一端部には電動モータ１３が設けられるが、該電動モータ１３の屋内側に向けて突出するモータ軸１３ａには駆動スプロケット１４が設けられ、該駆動スプロケット１４と上枠内１０の左右方向他端部に設けた従動スプロケット１５とのあいだには伝動ベルト１６が懸回されている。
【００１０】
前記戸体１はハンガーローラ式であって、戸体１の上框２に下端部が支持されるブラケット１ｂには上下方向中間部に位置する状態でハンガーローラ１ｃが設けられ、さらにブラケット１ｂの上端部には上記伝動ベルト１６と連結するための連結部材１６ａが設けられている。前記ハンガーローラ１ｃは、ハンガーレール１７に転動自在に支持されている。そして前記電動モータ１３の駆動に伴う伝動ベルト１６の左右移動に伴い、戸体１はハンガーレール１７にハンガーローラ１ｃが転動支持される状態で左右方向に移動し、これによって出入口の開閉がなされるようになっているが、これらの構成は何れも従来通りである。
【００１１】
図７以降に、前記既存の上枠１０に、戸体１側に設けた灯体６に電源供給をするための給電装置１２を組立てる手順について説明するが、この場合、屋内側枠材（前面板、正面板）１０ｃは取外して開口状態にしておく。因みにこの組立て手順は一例であって、必要に応じて手順を変更することができることは勿論である。
【００１２】
前記戸体上框２の上端部は、上端開口が幅狭で内部が幅広な蟻溝状に拡開しており、第一取付け体１８の下端部を、内部に挿入したビス受け具１８ｂに螺入する状態でビス１８ａを介して取付ける。この第一取付け具１８は、上端部が伝動ベルト１６の下半部に干渉しないよう屋内側に折曲して上枠１０の正面開口よりも少し屋内側に突出して伝動ベルト１６を回避した位置からさらに上方に向けて折曲している。尚、この第一取付け具１８は、戸体１の左右方向中間位置に取付けていて、戸体１が全開、全閉したときに駆動及び従動スプロケット１４、１５に干渉しないように配慮されている（図７参照）。尚、第一取付け金具１８には、灯体６側のリード線６ａに設けたカプラ６ｂが止着されている。
【００１３】
一方、上枠１０の左右両端部の端材１０ｄは、ボルト１０ｅを介して左右の縦枠１１に固定されるが、このうち一方の端材１０ｄは電動モータ１３の取付け部材となっている。この左右の端材１０ｄに、第三取付け具１９をボルト１９ａを介してそれぞれ取付ける。第三取付け具１９には屋内側に向くよう取付け片１９ｂが形成されており、該取付け片１９ｂにコ字形をした第四取付け具２０の跨部２０ａが、上下片２０ｂ、２０ｃが屋内側に向けて突出するようにしてビス２０ｄを介して固定されている（図８参照）。そして左右下片２０ｃの間には上方が開口したチェーン受け２１がビス２１ａを介して取付けられている（図９参照）。そして本実施の形態では、このチェーン受け２１が本発明の「固定側取付け具」を構成している。
【００１４】
２２は長尺状のチェーン（本発明の「湾曲チェーン」に相当する。）であって、該チェーン２２は四角筒状のチェーン本体２２ａを揺動自在な状態で一連状に連結したものであり、一端（下端）２２ｂがチェーン受け２１にビス２１ｂを介して固定され、中間部が⊃形に湾曲した状態で上方に至り、他端（上端）２２ｃが第一取付け金具１８の上片１８ｃにビス１８ｄを介して固定された第二取付け具２３にビス２３ａを介して固定されており、この第二取付け具２３の屋内側に突出する上片２３ｂが本発明の「可動側取付け具」を構成している。２４は商用電源供給用のリード線であって、該リード線２４は、例えばチェーン受け２１の一端に引き込まれたものが、チェーン受け２１を這わせる状態でチェーン一端２２ｂに至ったものがチェーン２２内を通ってチェーン他端２２ｃから引き出されて上框２に至り、その端部に設けたカプラ２４ａが、前記灯体側のカプラ６ｂに接続されている。そして灯体６側のリード線６ａは、上框２で左右に二分される状態で縦框４に至り、縦框４において灯体６に接続されるようになっている。一方、チェーン他端２２ｃから引出されたリード線２４は、伝動ベルト１６に近接しており、そこでこのものではリード線２４を結束紐や結束バンド等の結束部材２６で伝動ベルト１６に結束して一体化を図っている。
【００１５】
そして前述したように戸体１が左右移動した場合に、第一、第二取付け具１８、２３、チェーン他端２２ｃおよび該他端２２ｃから引出されたリード線２４ａは、該戸体１と一体に移動することになり、これによってチェーン２２の⊃形の中間部が内部のリード線２４ａと共に左右に移動する状態となっている。
尚、２７はカバーであって、該カバー２７は、左右両端部が第四取付け具上下片２０ｂ、２０ｃにビス２７ａを介して着脱自在に固定されている。
【００１６】
叙述のごとく構成した本発明の実施の形態において、上枠１０に内装した電動モータ１３の駆動により、駆動スプロケット１４と従動スプロケット１５とのあいだに懸回した伝動ベルト１６が移動することに伴い、戸体１の上框２にブラケット１ｂを介して設けたハンガーローラ１ｃがハンガーレール１７を転動することで戸体１は出入り口の左右開閉移動することになるが、該戸体１に設けた光表示用の灯体６を商用電源側に接続するにあたり、前記上框２に、上枠１０の開口する前面から前方に突出するように可動側取付け具を構成する第二取付け具上片２３ｂが設けられ、上枠１０に、上記上片２３ｂよりも下方に位置する状態で上枠１０の前面から突出するように固定側取付け具を構成するチェーン受け２１が設けられ、そしてチェーン一端２２ｂをチェーン受け２１に取付け、他端２２ｃを第二取付け具上片２３ｂに取付け、このチェーン２２内に商用電源に接続されるリード線２４を貫通させ、カプラ６ｂ、２４ａ同士を接続することで、灯体６は商用電源に接続されたものとなる。
そして戸体１が左右移動することに伴いチェーン他端２２ｃが戸体１と共に一体に移動すると、⊃形に湾曲するチェーン中間部２２ｄがチェーン他端２２ｃの一端２２ｂに対する左右相対移動に連動して左右に変位することになって、リード線２４が無理な変形を強いられることがなく、長寿命化を図ることができる。
しかもこのような給電装置１２は、既存の上枠１０に後付けとして簡単に取付けることができるから、上枠を新規なものに交換する必要がなく、電動モータ１３等の駆動部材をそのまま有効に利用することができる。
【００１７】
そのうえチェーン２２は、一端２２ｂが上枠１０の左右両端部に支架する状態で設けられるチェーン受け２１に取付けられ、他端２２ｃが上框２に設けられる第二取付け具上片２３ｂに設けられるため、中間部２２ｄが⊃形に湾曲するチェーン２２の一端側（下半部）の支持が確実にできることになって戸体１の開閉移動に伴うチェーン中間部２２ｄの安定した変位が行われ、戸体１の開閉移動が損なわれることがない。
【００１８】
また戸体１は、電動モータ１３および伝動ベルト１６を用いた電動式による自動的な開閉移動をするのものであるが、可動取付け具となる第二取付け具２３は、伝動ベルト１６とチェーン２２とのあいだを通る第一取付け具１８に取付けられるものであるから、伝動ベルト１６とチェーン２２とのあいだのスペースを有効に利用して無駄のない配設構造とすることができる。
【００１９】
さらにこのものでは、チェーン２２の上端２２ｃから引出されたリード線２４が、伝動ベルト１６に結束部材２６を介して結束されているから、伝動ベルト１６とリード線２４とが一体化され、この結果、リード線２４の可動側が可動側する第二取付け具２３だけでなく伝動ベルト１６とも一体となって移動することになって、リード線２４の不用意な動きが規制され、これによってリード線２４の保護が図れることになる。
【００２０】
尚、本発明は電動式のものに限定されず、手動式のものであっても実施することができる。また本発明は、新設のものとしても実施できることは言うまでもない。さらにまた、本実施の形態では片開きのものについて説明したが両開きのものであってもよいことは勿論である。
【産業上の利用可能性】
【００２１】
本発明は、灯体のような電気部品が設けられた引き戸用の戸体において、該電気部品への給電装置を後付けとしても簡単に取付けることができるものとして利用することができる。
【符号の説明】
【００２２】
１  戸体
１ｂ  ブラケット
１ｃ  ハンガーローラ
２  上框
５  パネル体
６  灯体
１０  上枠
１０ｃ  屋内側枠材
１２  給電装置
１３  電動モータ
１４  駆動スプロケット
１５  従動スプロケット
１６  伝動ベルト
１７  ハンガーレール
２１  チェーン受け
２２  チェーン
２２ｂ  一端
２２ｃ  他端
２２ｄ  中間部
２３  第二取付け具
２３ｂ  上片
２４  リード線
２６  結束部材
【図１】
0006608657.tif 000002
【図２】
0006608657.tif 000003
【図３】
0006608657.tif 000004
【図４】
0006608657.tif 000005
【図５】
0006608657.tif 000006
【図６】
0006608657.tif 000007
【図７】
0006608657.tif 000008
【図８】
0006608657.tif 000009
【図９】
0006608657.tif 000010
【図１０】
0006608657.tif 000011
【図１１】
0006608657.tif 000012
【図１２】
0006608657.tif 000013